(57)【要約】      （修正有）【課題】複数の筒形部に複数の試験管の一端を圧入して保持したままで移送し得る管ホルダを提供する。【解決手段】管ホルダ１は、平板部２と、該平板部２の複数位置に、該平板部２の延在方向と直交する方向に所定寸法だけ突出して形成された複数の筒形部３とを備え、該複数の筒形部３内に、複数の管１１の一端部１１ａが圧入して取付けられることにより、複数の管１１を移送可能に保持する。【選択図】図７
0003211852.tif 000002
【実用新案登録請求の範囲】
【請求項１】
管ホルダ（１）であって、
平板部（２）と、
該平板部（２）の複数位置に、該平板部（２）の延在方向と直交する方向に所定寸法だけ突出して形成された複数の筒形部（３）とを備え、
該複数の筒形部（３）内に、複数の管（１１）の一端部（１１ａ）が圧入して取付けられることにより、前記複数の管（１１）を移送可能に保持する、管ホルダ。
【請求項２】
請求項１に記載の管ホルダにおいて、
前記各筒形部（３）の内周には半径方向内方へ突出して前記管（１１）の圧入を可能にする少なくとも一つの凸部（３ａ−３ｅ）を有する、管ホルダ。
【請求項３】
請求項２に記載の管ホルダにおいて、
前各凸部は前記筒形部（３）の内周に該筒形部（３）の軸方向に延びる突条形の凸部（３ａ−３ｅ）である、管ホルダ。
【請求項４】
請求項１乃至３の何れか1項に記載の管ホルダにおいて、
前記筒形部（３）の内周は断面円形であり、前記凸部（３ａ−３ｃ）は該円形の内周面から半径方向内方へ断面略円弧形に突出している、管ホルダ。
【請求項５】
請求項１乃至３の何れか1項に記載の管ホルダにおいて、
前記筒形部（３）の内周は断面略多角形であり、前記凸部（３ｄ、３ｅ）は該多角形の辺部である、管ホルダ。
【請求項６】
請求項１乃至１１の何れか1項に記載の管ホルダにおいて、
前記凸部（３ａ−３ｅ）は前記筒形部（３）の内周の周方向等分位置に複数個設けられている、管ホルダ。
【請求項７】
請求項１乃至６の何れか1項に記載の管ホルダにおいて、
前記平板部（２）は更に、該平板部（２）の延在方向と直交する方向に若干寸法だけ突出して形成された補強リブ部（４）を備える、管ホルダ。
【請求項８】
請求項１乃至７の何れか1項に記載の管ホルダにおいて、
前記複数の筒形部（３）は、複数行×複数列分設けられている、管ホルダ。
【請求項９】
請求項１乃至８の何れか1項に記載の管ホルダにおいて、
前記管ホルダは樹脂材料から押し出し成形されてなる、管ホルダ。
【請求項１０】
請求項９に記載の管ホルダにおいて、
前記樹脂材料は透明又は半透明材料からなる、管ホルダ。
【請求項１１】
請求項１乃至１０の何れか1項に記載の管ホルダにおいて、
前記管（１１）は試験管であり、前記一端部（１１ａ）は該試験管（１）の開口側端部である、管ホルダ。
【考案の詳細な説明】
【技術分野】
【０００１】
本考案は、複数の試験管等を保持して移送し得る管ホルダに関する。
【背景技術】
【０００２】
従来、試薬を収納した複数の試験管を保持し得る試験管ホルダとしては、一般的に、箱形形状の堅牢なラック状ホルダに設けた複数の有底状の孔に複数の試験管を挿入して保持させ、次いでこのホルダを分注位置まで手作業又は制御装置により移送させた後に、複数の試験管を一本ずつ順番に分注位置の試験管ラックの複数の孔に移し替え挿入していた。しかし、これでは移送途中に試験管内の試料を視認することが難しく、分注直前に試料の間違いに気づいても移送作業が無駄になってしまう。この問題を解決するために、他の従来例として、下記の実用新案登録文献１に示す如く、底板部１、斜板部３及び天板部２からなるラック状ホルダに、複数の共栓付試験管Ｔを前記天板部２及び斜板部３に設けた複数の保持孔６、７に挿通して保持させ、試験管Ｔ内の試料の視認性を向上させたものがある。
【先行技術文献】
【特許文献】
【０００３】
【特許文献１】特開２００１−３２７８７４号公報
【考案の概要】
【考案が解決しようとする課題】
【０００４】
しかしながら、上記各従来例では、移送用ホルダの複数の孔に挿入された複数の試験管を分注位置で取り出して分注位置の試験管ラックの複数の孔に挿入するときは、試験管を一本ずつ取り出して移し替えなければならず、特に手作業で行うときは面倒であった。
【０００５】
従って、本考案は従来の試験管ホルダが抱えているこのような問題点を解決すべく、管ホルダに設けた複数の筒形部に複数の試験管の一端を圧入して保持したままで移送し得る管ホルダを提供することを目的とする。
【課題を解決するための手段】
【０００６】
本考案の管ホルダは、管ホルダ（１）であって、
平板部（２）と、
該平板部（２）の複数位置に、該平板部（２）の延在方向と直交する方向に所定寸法だけ突出して形成された複数の筒形部（３）とを備え、
該複数の筒形部（３）内に、複数の管（１１）の一端部（１１ａ）が圧入して取付けられることにより、前記複数の管（１１）を移送可能に保持する。
【０００７】
好ましくは、前記各筒形部（３）の内周には半径方向内方へ突出して前記管（１１）の圧入を可能にする少なくとも一つの凸部（３ａ−３ｅ）を有する。
また好ましくは、前各凸部は前記筒形部（３）の内周に該筒形部（３）の軸方向に延びる突条形の凸部（３ａ−３ｅ）である。
また好ましくは、前記筒形部（３）の内周は断面円形であり、前記凸部（３ａ−３ｃ）は該円形の内周面から半径方向内方へ断面略円弧形に突出している。
【０００８】
また好ましくは、前記筒形部（３）の内周は断面略多角形であり、前記凸部（３ｄ、３ｅ）は該多角形の辺部である。
また好ましくは、前記凸部（３ａ−３ｅ）は前記筒形部（３）の内周の周方向等分位置に複数個設けられている。
【０００９】
また好ましくは、前記平板部（２）は更に、該平板部（２）の延在方向と直交する方向に若干寸法だけ突出して形成された補強リブ部（４）を備える。
また好ましくは、前記複数の筒形部（３）は、複数行×複数列分設けられている。
【００１０】
また好ましくは、前記管ホルダは樹脂材料から押し出し成形されてなる。
また好ましくは、前記樹脂材料は透明又は半透明材料からなる。
また好ましくは、前記管（１１）は試験管であり、前記一端部（１１ａ）は該試験管（１）の開口側端部である。
【考案の効果】
【００１１】
本考案の管ホルダによれば次に示す効果がある。  
（１）複数の管、例えば試験管は、管ホルダの平板部に設けた複数の筒形部に圧入されて所定位置に保持されているから、その管ホルダを移送して複数の試験管を分注位置の試験管ラックの複数の孔に対して整合させるだけで、一度に複数の試験管を当該ラックに取付けることができ、試験管の移送のみならず取付け作業が容易になる。
（２）また、管ホルダの筒形部に設けた凸部により試験管の圧入効果を得ることができ、管ホルダへの取付け作業が容易であると共に、試験管の保持作業を確実に行える。
（３）また、筒形部の突条部形の凸部はその所定長さに亘って試験管を保持するため、試験管の保持作業を一層確実に行える。
（４）また、筒形部の凸部が円弧形の場合は、試験管の圧入時に凹まされたときに大きな反力を有するから大きな保持力を有する。
（５）また、筒形部の凸部が多角形の辺部の場合は、試験管の圧入時に容易に凹むから圧入作業が容易になる。
（６）また、筒形部の凸部を周方向等分位置に設けた場合は、試験管を周方向等分位置から均等に保持しうる。
（７）また、管ホルダの平板部に補強リブを設けた場合は、試験管ホルダは堅牢である。
（８）また、筒形部を複数行×複数列分設けている場合は、多数の試験管を一度に移送及び分注位置ラックへの一度の取付けを行えて作業効率を向上し得る。
（９）また、管ホルダを樹脂材料から押し出し成形することにより、製造コストを低減し且つ軽量化し得る。
（１０）また、管ホルダが透明又は半透明材料にすることにより、試験管の取付け時、移送途中及びその後において試験管内の試料を間違えることがない。
（１１）また、試験管の開口側端部を管ホルダに取付けるようにしているため、試験管の移送中に試験管内の試料がこぼれることはない。
【図面の簡単な説明】
【００１２】
【図１】図１は、本考案の実施形態に係る管ホルダを適用した試験管ホルダを示す平面図である。
【図２】図２は、図１中ＩＩ−ＩＩ線に沿う断面図である。
【図３】図３は、図２中の要部を拡大した断面図である。
【図４】図４は、上記試験管ホルダを斜め上方から見た斜視図である。
【図５】図５は、上記試験管ホルダを斜め下方から見た斜視図である。
【図６】図６は、図３中ＶＩ−ＶＩ線に沿う筒形部の第1の例の拡大横断面図である。
【図７】図７は、上記試験管ホルダに複数の試験管を取付ける直前の断面図である。
【図８】図８は、上記試験管ホルダに複数の試験管を取付け保持した状態の断面図である。
【図９】図９は、上記試験管ホルダに複数の試験管を取付けた状態を斜め上方から見た斜視図である。
【図１０】図１０は、上記試験管ホルダに複数の試験管を取付けた状態を斜め下方から見た斜視図である。
【図１１】図１１は、上記試験管ホルダに保持した複数の試験管を分注位置の試験管ラックに取付ける直前の状態を斜め上方から見た斜視図である。
【図１２】図１２は、複数の試験管を試験管ラックに取付け後の状態を斜め上方から見た斜視図である。
【図１３】図１３は、筒形部の第２の例の図６と同様の図である。
【図１４】図１４は、筒形部の第３の例の図６と同様の図である。
【図１５】図１５は、筒形部の第４の例の図６と同様の図である。
【図１６】図１６は、筒形部の第５の例の図６と同様の図である。
【図１７】図１７は、上記試験管ホルダを移送するための移送ケースを斜め上方から見た斜視図である。
【図１８】図１８は、上記試験管を保持した試験管ホルダを移送ケースに組付けた状態を斜め上方から見た斜視図である。
【図１９】図１９は、図１８中ＸＩＸ−ＸＩＸ線に沿う断面図である。
【考案を実施するための形態】
【００１３】
最初に、図１乃至図６に基づいて本考案の実施形態に係る管ホルダの構成について説明する。  
図１乃至５中、管ホルダの一例としての試験管ホルダ１（以下、適宜単に「ホルダ１」という）は、ＰＥＴ等の透明又は半透明の樹脂材料から真空成型もしくはブロー成形して得られたものであり、外周に係止部２ａが設けられた厚さ０．３〜１ｍｍ程度の平板部２と、該平板部２から上方へ所定寸法（例えば１ｍｍ以上）だけ突出して形成された、一例として５行×５列で合計２５箇の筒形部３と、隣接する筒形部３間において該平板部２から下方へ所定寸法（例えば０．５〜３ｍｍ程度）だけ突出して形成された、一例として４行×４列で設けられた補強リブ４とから一体的に形成されている。なお、上記樹脂材料は、不透明の樹脂材料でも良く、また場合によっては、紙材料、木材料又は軽量の金属材料等でもよい。なお、筒形部３の数は２箇以上であればよく、個数は限定されない。
【００１４】
筒形部３は、図３及び図６によく示されているが、この場合断面円形で上方は天板部で閉鎖され且つ下方は開口部になっている、この筒形部３はその内周の周方向４等分位置に夫々突条の凸部３ａ（即ち、合計４個）が、筒形部３の軸方向に伸び且つ該筒形部３の半径方向内方へ突出して設けられている。凸部３ａの横断面形状は図６に示す如く円弧形であるが、これに限ることなく、他の形状のカーブでも良い。なお，図６中、符号１１は試験管である。
【００１５】
４は複数の補強リブで、平板部２の下面から下方向へ断面略半円形に突出して縦方向及び横方向に伸びて交差しているが、これに限らず上面より上方向へ突出しても良く、またその他の種々の断面形状で突出してもよい。
【００１６】
また図４及び図５は上記試験管ホルダ１を斜め上方及び斜め下方から見たものであり、筒形部３，補強リブ４及び凸部３ａの構成が良く分かる。
また、図１１中、符号１２は試験管ラックであり、例えば５行×５列で合計２５個の試験管挿入孔１２ａを有している。
【００１７】
次に、試験管ホルダ１を扱う作業について説明する。
図７に示す如く、複数の試験管１１の開口側端部１１ａを、ラック１の下面側から複数の筒形部３内に順次挿入して、図８に示す状態になる。このとき、図６に示す如く、試験管１１が筒形部３に挿入される途中において、筒形部３内周の各凸部３ａが試験管１１の開口側端部１１ａ外周部により半径方向外方へ押圧変形され、これにより試験管１１が筒形部３内に圧入されて保持される。この取付保持状態を斜め上方から見たのが図９であり、又斜め下方から見たのが図１０である。
【００１８】
次に、図１１に示す如く、作業者は、複数の試験管１１を保持した状態のホルダ１を、分注位置にある試験管ラック１２の上方位置まで移送する。
次に、複数の試験管１１と複数の試験管挿入孔１２ａとを整合させた状態で、ホルダ１を下方へ移動させ、各試験管１１を各試験管挿入孔１２ａ内に一度に挿入する。試験管１１の挿入が終了した時点で、ホルダ１をこじりながら試験管１１から取り外す。
【００１９】
すると、図１２に示す如く、複数の試験管１１が、ラック１２の試験管挿入孔１２ａに挿入された状態となる。
これによれば、ホルダ１を移送する時に、複数の試験管１１はホルダ１に圧入されているので、その取付け状態は安定しており、落下することはなく移送作業は容易且つ安全である。また、複数の試験管１１を試験管ラック１２に対して一度に取付けることができるので、作業が迅速且つ正確である。
【００２０】
なお、筒形部３内周の凸部３ａは、図６に示したものに限られることなく、例えば、図１３に示す如く、図６の凸部３ａに比してより大きな周方向角度を有する円弧形の凸部３ｂでもよい。
【００２１】
また、図１４に示す如く、周方向８等分位置に設けた円弧形凸部３ｃでもよい。この他に、円弧形凸部は、周方向３等分位置又は５等分以上の適宜等数位置に設けられても良く、また場合によっては、周方向不等分位置に設けられてもよい。
【００２２】
また、筒形部３は円形断面に限らず多角形断面を有しても良く、例えば図１５に示す如く、筒形部３は四角形断面の筒形部３−１でも良い。この場合は試験管１１は筒形部３−１の四角形辺部３ｄに接触してこれを半径方向外方へ押圧変形させながら圧入される。
【００２３】
また、図１６に示す如く、筒形部３は六角形断面の筒形部３−２でも良く、この場合は試験管１１は筒形部３−２の六角形の各辺部３ｅに接触してこれを半径方向外方へ押圧変形させながら圧入される。この他に、筒形部３の多角形断面は、三角形でも良く、また場合によっては、５角形以上の適宜数の辺を有する多角形でもよい。
【００２４】
また、筒形部３は、円形及び多角形断面に限らず、三角形、楕円径又は不等辺多角形でもよい。
また、上記説明では、管の一例として試験管をあげたが、そのほかにピペットチップ、分注用チップ、試験管キャップ、工業用チューブ等の種々の管を移送し得る。
【００２５】
次に、図１７乃至図１９により、上記試験管１１を保持した状態のホルダ１を、上記分注位置にある試験管ラック１２（図１１参照）まで移送するための移送ケースについて説明する。
【００２６】
図１７中、移送ケース１５は、厚さ０．４〜１ｍｍ程度のＰＥＴ等の透明又は半透明又は不透明の樹脂材料等を真空成形又はブロー成形して成形された有底四角形の形状をしており、側壁１５ａ、底壁１５ｂ、フランジ部１５ｃ及びその外周凸部１５ｄを有し、底壁１５ｂ上面に例えば５行×５列で合計２５個の半球面状凹部１５ｅが形成されている。
【００２７】
続いて、図１８及び図１９に、複数の試験管１１を保持した試験管ホルダ１（図９参照）が上記移送ケース１５に対して組付けられた状態を示す。図１９に示す如く、ホルダ１の外周係止部２ａを移送ケース１５の外周凸部１５ｄに係合させたとき、複数の試験管１１の下部が夫々、移送ケース１５の底壁１５ｂの対応する各凹部１５ｅ内に着座する。これにより、各試験管１１の姿勢がふらつかないように保持される。
【００２８】
従って、試験管保持状態のホルダ１及び移送ケース１５の組立体を分注位置の試験管ラック１２の上方まで移送して移送ケース１５を取り去った後に、上述した如く複数の試験管１１を試験管ラック１２に取付ける。このように、試験管保持状態のホルダ１を移送ケース１５を使用して移送することにより、移送途中に、複数の試験管１１がふらついて試験管どうしがぶつかって破損したり、試験管１１が抜け落ちてしまう等の事故を防止し得る。
【符号の説明】
【００２９】
１  試験管ホルダ
２    平板部
２ａ  外周係止部
３、３−１、３−２    筒形部
３ａ、３ｂ、３ｃ、３ｄ、３ｅ  凸部
４  補強リブ
１１  試験管
１１ａ  開口側端部
１２  試験管ラック
１２ａ  試験管挿入孔
１５  移送ケース
１５ａ  側壁
１５ｂ  底壁
１５ｃ  フランジ部
１５ｄ  外周凸部
１５ｅ  凹部
【図１】
0003211852.tif 000003
【図２】
0003211852.tif 000004
【図３】
0003211852.tif 000005
【図４】
0003211852.tif 000006
【図５】
0003211852.tif 000007
【図６】
0003211852.tif 000008
【図７】
0003211852.tif 000009
【図８】
0003211852.tif 000010
【図９】
0003211852.tif 000011
【図１０】
0003211852.tif 000012
【図１１】
0003211852.tif 000013
【図１２】
0003211852.tif 000014
【図１３】
0003211852.tif 000015
【図１４】
0003211852.tif 000016
【図１５】
0003211852.tif 000017
【図１６】
0003211852.tif 000018
【図１７】
0003211852.tif 000019
【図１８】
0003211852.tif 000020
【図１９】
0003211852.tif 000021
【手続補正書】
【提出日】平成29年6月1日(2017.6.1)
【手続補正１】
【補正対象書類名】実用新案登録請求の範囲
【補正対象項目名】全文
【補正方法】変更
【補正の内容】
【実用新案登録請求の範囲】
【請求項１】
管ホルダ（１）であって、
平板部（２）と、
該平板部（２）の複数位置に、該平板部（２）の延在方向と直交する方向に所定寸法だけ突出して形成された複数の筒形部（３）とを備え、
該複数の筒形部（３）内に、複数の管（１１）の一端部（１１ａ）が圧入して取付けられることにより、前記複数の管（１１）を移送可能に保持する、管ホルダ。
【請求項２】
請求項１に記載の管ホルダにおいて、
前記各筒形部（３）の内周には半径方向内方へ突出して前記管（１１）の圧入を可能にする少なくとも一つの凸部を有する、管ホルダ。
【請求項３】
請求項２に記載の管ホルダにおいて、
前各凸部は前記筒形部（３）の内周に該筒形部（３）の軸方向に延びる突条形の凸部である、管ホルダ。
【請求項４】
請求項２又は３に記載の管ホルダにおいて、
前記筒形部（３）の内周は断面円形であり、前記凸部は該円形の内周面から半径方向内方へ断面略円弧形に突出している、管ホルダ。
【請求項５】
請求項２乃至４の何れか1項に記載の管ホルダにおいて、
前記筒形部（３）の内周は断面略多角形であり、前記凸部は該多角形の辺部である、管ホルダ。
【請求項６】
請求項２乃至５の何れか1項に記載の管ホルダにおいて、
前記凸部は前記筒形部（３）の内周の周方向等分位置に複数個設けられている、管ホルダ。
【請求項７】
請求項１乃至６の何れか1項に記載の管ホルダにおいて、
前記平板部（２）は更に、該平板部（２）の延在方向と直交する方向に若干寸法だけ突出して形成された補強リブ部（４）を備える、管ホルダ。
【請求項８】
請求項１乃至７の何れか1項に記載の管ホルダにおいて、
前記複数の筒形部（３）は、複数行×複数列分設けられている、管ホルダ。
【請求項９】
請求項１乃至８の何れか1項に記載の管ホルダにおいて、
前記管ホルダは樹脂材料から押し出し成形されてなる、管ホルダ。
【請求項１０】
請求項９に記載の管ホルダにおいて、
前記樹脂材料は透明又は半透明材料からなる、管ホルダ。
【請求項１１】
請求項１乃至１０の何れか1項に記載の管ホルダにおいて、
前記管（１１）は試験管（１１）であり、前記一端部（１１ａ）は該試験管（１１）の開口側端部である、管ホルダ。